(57)【要約】      （修正有）【課題】信号導出用とくにヒトの皮膚からの信号導出用の医用電極において、静電特性に優れるとともに、質的に高級なカバーを備えた電極を提供する。【解決手段】少なくとも２層構造とされて、上側被覆層２と信号発生主体に接触する接着層１４との間に好ましくは金属製の、信号発生主体と接続し得る、好ましくは信号伝導層の形の信号導体３が配置されているとともにタップボトル５を有し、タップボトル５と信号発生主体との間には電気絶縁カバーエレメント６が配置され、好ましくは面状のカバーエレメント６の少なくとも片側は導電性に形成するようにした。【選択図】図３ａ
2011015980.tif 000002
【特許請求の範囲】
【請求項１】
少なくとも２層構造とされて、上側被覆層（２）と信号発生主体に接触する接着層（４）との間に好ましくは金属製の、信号発生主体と接続し得る、好ましくは信号伝導層の形の信号導体が配置されているとともにタップボトルを有し、タップボトルと信号発生主体との間には電気絶縁カバーエレメントが配置されている、信号導出用とくにヒトの皮膚からの信号導出用の医用電極であって、好ましくは面状のカバーエレメント（６）の少なくとも片側は導電性に形成されており、かつ信号導体（３）から電気的に切り離されており、前記少なくとも１つの導電層（１３，１７，８）は雑音信号誘導用もしくは接地用の導体（１９）と接続し得るように形成されていることを特徴とする医用電極。
【請求項２】
請求項１において、
カバーエレメント（６）の導電側はグリッド状に形成された導電エレメント（８）によって形成されていることを特徴とする電極。
【請求項３】
請求項１において、
カバーエレメント（６）の導電側は導電性フォーム（８）によって形成されていることを特徴とする電極。
【請求項４】
請求項１から３までのいずれか１項において、
カバーエレメント（６）は第一の電気絶縁キャリア層（７）と第二の導電層（８）とを有する好ましくは２層膜として形成されていることを特徴とする電極。
【請求項５】
請求項１から４までのいずれか１項において、
信号導体（３）とカバーエレメント（６）の導電側とは互いに垂直方向に離間し、好ましくは少なくとも部分的にオーバラップして配置されていることを特徴とする電極。
【請求項６】
請求項１から５までのいずれか１項において、
信号導体（３）は好ましくは接着層（４）の穴（１０）に配置可能な導電性ゲル（１１）を経て信号発生主体と接続されていることを特徴とする電極。
【請求項７】
請求項１から６までのいずれか１項において、
タップボトル（５）は、信号導体（３）と電気的に接触しているとともに電極（１）の信号発生主体とは反対の側から接近することのできるタップエレメント（１２）、好ましくはリベット接合された球状頭部を有することを特徴とする電極。
【請求項８】
請求項１から７までのいずれか１項において、
カバーエレメント（６）はタップボトル（５）と結合、好ましくは接着接合されていることを特徴とする電極。
【請求項９】
請求項１から８までのいずれか１項において、
カバーエレメント（６）ないしカバーエレメント（６）の電気絶縁キャリア層（７）は電極（１）の上側被覆層（２）と一体に形成されていることを特徴とする電極。
【請求項１０】
被覆層（２）の少なくとも信号発生主体とは反対側の面（１３）は少なくとも部分的に導電性に形成されていることを特徴とする電極。
【請求項１１】
請求項１０において、
被覆層（２）の下側面（１７）も少なくとも部分的に導電性に形成されていることを特徴とする電極。
【請求項１２】
請求項１０または１１において、
被覆層（２）の導電側（１３，１７）はグリッド状に形成された導電エレメントによって形成されていることを特徴とする電極。
【請求項１３】
請求項１０または１１において、
被覆層（２）の導電側（１３，１７）は導電性フォームによって形成されていることを特徴とする電極。
【請求項１４】
請求項１０から１３までにおいて、
導電層（１３，１７）はプリントされた導電層によって形成されていることを特徴とする電極。
【請求項１５】
請求項１０から１４までのいずれか１項において、
被覆層（２）は第一の電気絶縁キャリア層（７）と第二の導電層（８）とを有する好ましくは２層膜として形成されていることを特徴とする電極。
【請求項１６】
請求項１０から１４までのいずれか１項において、
導電側（１３，１７）は第一の電気絶縁キャリア層（７）と第二の導電層（８）とを有する好ましくは２層膜として形成されていることを特徴とする電極。
【請求項１７】
請求項１０から１６までのいずれか１項において、
被覆層（２）の導電側（１３，１７）は信号導体（３）から電気的に切り離されており、被覆層に場合により存在する個々の導電領域は好ましくは互いに電気的に接続されていることを特徴とする電極。
【請求項１８】
請求項１０から１７までのいずれか１項において、
被覆層（２）の導電側（１３）と、信号導体（３）と、カバーエレメントの導電側（６，１７）とは互いに垂直方向に離間し、好ましくは少なくとも部分的にオーバラップして配置されていることを特徴とする電極。
【請求項１９】
請求項１から１８までのいずれか１項において、
接着層（４）の信号発生主体との対向側には皮膚を害さない電気絶縁プラスタエレメント（１４）が配置されていることを特徴とする電極。
【請求項２０】
請求項１９において、
プラスタエレメント（１４）はタップボトル（５）を少なくとも部分的に掩蔽しており、プラスタエレメント（１４）のタップボトル（５）を掩蔽する部分はタップボトル（５）との対向側が導電性に形成されていることを特徴とする電極。
【請求項２１】
請求項１９または２０において、
カバーエレメント（６）ないしカバーエレメント（６）の電気絶縁キャリア層（７）はプラスタエレメント（１４）によって形成されていることを特徴とする電極。
【請求項２２】
請求項１から２１までのいずれか１項において、
信号導体（３）を雑音信号から遮蔽する導電層（１３，１７，８）は、ファラデースクリーンないしファラデーカップの形に形成されたことを特徴とする電極。
【請求項２３】
請求項１から２２までのいずれか１項において、
導体（１９）を導電層（１３，１７，８）に着脱式に取り付けるための、導電層に配置もしくは該層と結合された接続エレメント（１６）を有することを特徴とする電極。
【請求項２４】
請求項１から２３までのいずれか１項において、
信号導体（３）の信号と導電層（１３，１７，８）の雑音信号との伝送は、電気的に切り離された２本の導体（１９，２０）を有する導線（１８）を経て行われることを特徴とする電極。
【請求項２５】
請求項２４において、
導線（１８）の２本の導体（１９，２０）は同軸的に配置もしくは形成されており、内側導体（２０）は信号導体（３）と接続させられることを特徴とする電極。
【請求項２６】
請求項１から２５までのいずれか１項において、
導線（１８）は、導電層（１３，１７，８）と信号導体（３）とを同時にそれぞれに対応する導線（１８）の導体（１９，２０）と接続させることのできる接続エレメント（２１）を有することを特徴とする電極。
【発明の詳細な説明】
【技術分野】
【０００１】
本発明は、少なくとも２層構造とされて、上側被覆層と信号発生主体に接触する接着層との間に信号発生主体と接続し得る好ましくは金属製の信号導体が配置されているとともにタップボトルを有し、タップボトルと信号発生主体との間には好ましくは電気絶縁カバーエレメントが配置されている、信号導出用とくにヒトの皮膚からの信号導出用の医用電極に関する。
【背景技術】
【０００２】
皮膚に接着可能な公知の電極は、信号発生主体と接触する導電性ゲルを収容する穴を有した接着層と、上側被覆層と、これら両層の間に配置された信号伝導層とからなるとともに、上側被覆層と信号伝導層とによって形成されるタップボトルを有している。タップボトルの下面から自由に接近することのできる信号伝導層が信号発生主体と接触して、伝導された信号に影響が及ぼされることを防止するため、好ましくは非導電性の接着層の信号主体との対向側には、タップボトルを掩蔽して、タップボトルの領域における信号伝導層と信号発生主体との間の接触を防止する、皮膚に害のないプラスタエレメントを配置するのが通例である。
【０００３】
ドイツ特許第１９７  ３０  ８１１号［ＤＥ  １９７  ３０  ８１１  Ｃ１］明細書から、タップボトルの信号発生対象との対向側に非接着性のカバーを設け、こうすることで、電極の信号伝導層を外部雑音信号から遮蔽するようにした、構成が公知である。
【０００４】
ただし、通例はプラスチックたとえばＰＶＣ、ＰＥまたはＰＥＴ製のカバーは測定プロセス中に、たとえば負荷心電図の実施時にそうであるように、特に信号発生主体が動くと帯電することが判明した。こうしたカバーエレメントの帯電はそれがまさに直接接触している信号伝導層に作用し、こうして、導出された信号に影響を及ぼすこととなる。
【０００５】
公知の医用電極のさらなる短所として判明した点は、カバー製造に使用されるプラスチックは好適な静電特性を有するが、ただしその特性が種々相違していることである。この静電特性という観点から眺めれば、カバーの製造にはＰＶＣが最も適している。他方、医用電極の上側被覆層の製造には、特にエコロジー上の理由から、ＰＥまたはＰＥＴが好ましい。容易かつ安価な製造方法との意図からすれば、上側被覆層とカバーとを一体に形成するのが有効であるが、これは実際のところ、質的に高級な上側被覆層を備えるが、カバーの静電特性の劣った電極が得られるか、または、質的に高級なカバーを備えるが、上側被覆層の静電特性が不適な電極が得られるかのいずれかになるというを招く。
【発明の開示】
【発明が解決しようとする課題】
【０００６】
そこで従来の技術から出発して、本発明の目的は、前述した短所を回避して、外部雑音信号からの信号伝導層の遮蔽を可能にすると同時に安価に製造することのできる新規の医用電極を提供することである。
【課題を解決するための手段】
【０００７】
上記の課題は本発明により、好ましくは面状のカバーエレメントの少なくとも片側が導電性に形成され、こうして、カバーが帯電して、導出された信号に影響を及ぼすかもしくは変化を及ぼすことが防止されることによって解決される。この場合、第一に重要なのは、カバーエレメントの導電面をいかに形成するかという形成方法ではなく、むしろ、カバーエレメントが導電面を有しているという状況である。したがって、カバーエレメントの導電側はたとえばグリッド状に形成された導電エレメントで形成されているかまたは導電性フォームで形成されていてよく、また、全体として導電性を有するカバーエレメント  −  たとえば炭素導体  −  を使用するのと同様に、薄い金属ストリップ、または金属フィラメントを組込んだ繊維シートを使用することも考えることができ、あるいは導電層をカバーエレメントにプリントすることも考えられよう。カバーエレメントの一面を導電性に形成することにより、従来の技術とは異なり、カバーエレメントの製造に使用されるプラスチックがいかなる静電特性を有するかはもはや重要ではなくなり、したがって、被覆層と一体に形成されるカバーエレメントの製造に静電特性の劣るプラスチックを使用することも可能となる。
【０００８】
本発明の好適な１実施例において、カバーエレメントは第一の電気絶縁キャリア層と第二の導電層とを有する好ましくは２層膜として形成され、電気絶縁層は接着性を有するように形成されていてよいことから、このカバー膜を、通例の電極製造工程とは独立に、タップボトルの信号発生主体との対向側に容易に接着接合することができる。同時に、カバーエレメントをこのように形成することにより、すでに流通している従来の医用電極に、導電面を有するカバーエレメントを装着することが可能である。
【０００９】
カバーエレメントの導電側が信号導体と導出された信号とに影響を及ぼさないようにするため、本発明の好適な１実施形態において、カバーエレメントの導電側は信号導体から電気的に切り離されている。この電気的切り離しには特に、少なくとも２層膜として形成されたカバーエレメントの電気絶縁キャリア層もしくはカバーエレメント自体が適していることから、タップボトルの断面から看取されるように、信号導体とカバーエレメントの導電側とは互いに垂直方向に離間し、好ましくは少なくとも部分的にオーバラップして配置されている。
【００１０】
それ自体として公知のように、本発明の１実施例において、信号導体は好ましくは接着層の穴に配置可能な導電性ゲルを経て信号発生主体と接続され、タップボトルは、信号導体と電気的に接触しているとともに電極の信号発生主体とは反対の側から接近することのできるタップエレメント、好ましくはリベット接合された球上頭部を有していてよい。
【００１１】
本発明の更なる１実施例において、カバーエレメントはタップボトルと結合、好ましくは接着接合されており、これにより、特にカバーエレメントの導電側が少なくとも部分的に上側被覆層の上側面にまで及んでいれば、信号導体の特に確実な遮蔽が実現される。
【００１２】
カバーエレメントないしカバーエレメントのキャリア層が電極の上側被覆層と一体に形成されていれば、これは、すでに触れたように、製造コストに有利な結果をもたらす。
【００１３】
接着層によって惹き起こされることのある患者皮膚の赤色発疹を基本的に回避するため、本発明の更なる１実施例において、接着層の信号発生主体との対向側には、皮膚を害さない電気絶縁プラスタエレメントが配置される。この場合、カバーエレメントないしカバーエレメントの電気絶縁キャリア層がプラスタエレメントによって形成されていれば、本発明による電極の構造は非常に簡単なものとなる。したがって、プラスタエレメントがタップボトルを掩蔽する部分のタップボトルとの対向側は導電性に形成される。この場合、この導電側はまたも、グリッド状の導電エレメント、金属バンド、導電性フォーム等々として形成されていてよい。同じく、２層膜として形成されたカバーエレメントをプラスタエレメントのタップボトル掩蔽部分に容易に接着接合することも可能である。本発明のこの実施例において、信号導体がプラスタエレメント上に配置されたカバーエレメントの導電側と接触するのを防止するため、それ自体として公知のように、タップボトルの信号発生主体との対向側にプラスチック製のカバーが設けられていてよい。
【００１４】
本発明の更なる１変形実施形態において、被覆層と、皮膚上に電極を接着するための接着層と、信号発生主体と接続し得る好ましくは金属製の信号導体とを有する、信号導出用とくにヒトの皮膚からの信号導出用の医用電極は、被覆層の少なくとも信号発生主体とは反対側の面が少なくとも部分的に導電性に形成される。この場合、被覆層の下側面も少なくとも部分的に導電性に形成されていれば、雑音信号からの特に確実な信号導体の遮蔽が実現される。ここで、すでに上述した一連の実施例の場合と同様に、被覆層の導電側（単数または複数）は、グリッド状に形成された導電エレメント、導電性フォーム、金属バンド、金属フィラメントが組込まれた繊維シートまたはプリントされた導電層によって形成されていてよい。
【００１５】
被覆層または導電側を第一の電気絶縁キャリア層と第二の導電層とを有する好ましくは２層膜として形成することも考えることができる。被覆層の導電側（単数または複数）の形成方法とは関わりなく、本発明の更なる１実施例において、被覆層の導電側は信号導体から電気的に切り離されており、また、被覆層に場合により存在する個々の導電領域は好ましくは互いに電気的に接続され、こうして、被覆層の導電側による信号導体への影響作用が防止されている。
【００１６】
電極がタップボトルを有し、タップボトルの信号発生主体との対向側に好ましくは電気絶縁カバーエレメントが配置されて好ましくは接着接合されている、本発明の更なる１実施例において、カバーエレメントは被覆層と一体に形成されている。これにより、被覆層と一体に製造されるカバーエレメントと、したがって被覆層も、カバーの帯電が被覆層の導電側によってほぼ全面的に防止されることから、静電特性の劣るプラスチックたとえばＰＥまたはＰＥＴで製造されていてよい。
【００１７】
この種の帯電を確実に防止し得るように、本発明の特に好適な１実施例において、好ましくは面状のカバーエレメントの少なくとも片側は導電性に形成され、カバーエレメントのこの導電側は信号導体から電気的に切り離されている。
【００１８】
被覆層の導電側と、信号導体と、カバーエレメントの導電側とが互いに垂直方向に離間し、好ましくは少なくとも部分的にオーバラップして配置されていれば、被覆層とカバーエレメントとの、信号導体とは反対の側が導電性に形成されて、こうして被覆層とカバーエレメントとの、信号導体との対向側がほぼ雑音信号から保護されるため、こうした配置によって基本的にファラデースクリーン効果に相当する効果が実現される。
【００１９】
外乱からほぼ全面的に遮蔽された信号導体の実現は、更なる１実施例において、接着層の信号発生主体との対向側に、タップボトルを少なくとも部分的に掩蔽する、皮膚を害さない電気絶縁プラスタエレメントが配置され、プラスタエレメントのタップボトル掩蔽部分のタップボトルとの対向側が導電性に形成されることによっても可能である。この実施例は、特に、すでに市場に出回っている医用電極に１つの導電面を有するカバー膜を事後的に適用する際に、被覆側にも、プラスタエレメントのタップボトル掩蔽部分にも、使用することができよう。
【００２０】
本発明の更なる１変形実施形態において、被覆層と、皮膚上に電極を接着するための接着層と、信号発生主体と接続し得る好ましくは金属製の信号導体とからなり、好ましくはタップボトルを有する、信号導出用とくにヒトの皮膚からの信号導出用の医用電極に、信号導体を雑音信号から遮蔽する少なくとも１つの補助的な、好ましくはファラデースクリーンないしファラデーカップの形に配置された導電層が設けられる。
【００２１】
好ましくは信号導体から電気的に切り離された導電層から雑音信号を誘導しもしくはこの導電層の接地を行うため、本発明の更なる１実施形態において、導電層は、雑音電圧なし妨害作用または妨害電位を誘導するための導体と接続し得るように形成されている。導電層はこのために導体との着脱式接続を可能とする接続エレメントを有しているのが好適である。
【００２２】
信号導体の信号と導電層の雑音信号との伝送が、電気的に切り離された２本の導体を有する導線を経て行われ、このように各々の電極から１本のケーブルのみが評価装置に達するようにすれば特に簡単な取扱いが実現されることとなり、これは特にスポーツ活動中の測定に際して非常に好適である。
【００２３】
この場合、導線は、電気的に切り離された２本の導体が同軸的に配置もしくは形成された同軸ケーブルによって形成されて、内側導体は信号導体と接続され、他方、ケーブルの外側導体は導電層と接続されているのが好適である。この対策により、発生する雑音電圧、妨害作用ないし妨害電位は導電層と導線の外側導体とを経て誘導されるため、導線接続域の動揺が測定信号を妨害することは防止される。これは、従来の技術において、導出された信号に影響を及ぼしていた、導線もしくは導線接点端子の電極に対する相対運動が本発明による電極にあっては導出された信号にもはやほとんど影響しないかもしくはそうした影響を全面的に無視することができることを意味している。
【００２４】
更なる１実施例においてそうであるように、導線が、導電層と信号導体とを同時にそれぞれに対応する導線導体と接続させることのできる接続エレメントを有していれば、導線を迅速かつ容易に電極と接続することが可能である。
【図面の簡単な説明】
【００２５】
【図１ａ−１ｃ】タップボトル用のカバーエレメントを備えていない、従来の技術による医用電極を示す図である。
【図２ａ−２ｃ】タップボトル用のカバーエレメントを備える、従来の技術による医用電極を示す図である。
【図３ａ−３ｃ】本発明の第一の実施例を示す図である。
【図４ａ−４ｃ】本発明の更なる実施例を示す図である。
【図５ａ】本発明によるカバーを示す図である。
【図５ｂ−５ｃ】図５ａに示したカバーの、医用電極への異なった配置方法を示す図である。
【図６ａ−６ｃ】同様である。
【図７ａ−７ｃ】タップボトルを備える本発明による電極のその他の各種実施例を示す図である。
【図８ａ−８ｂ】タップボトルを備えていない、本発明による電極の２つの実施例を概略的に示す図である。
【図９ａ−９ｂ】雑音信号用導体を導電層に固定する異なった方法を概略的に示す図である。
【図１０−１１】信号導出線を電極に接続する異なった方法を示す図である。
【発明を実施するための最良の形態】
【００２６】
以下、図面に示した図を参照し、下記記述によって、その他の利点および詳細を詳しく説明する。
【００２７】
図１ａ〜１ｃに示した、従来の技術による医用電極１は３層構造からなり、患者の皮膚とは反対側に配置された被覆層２と、電極１を患者の皮膚に固定するための接着層４とを有している。これらの２つの層２，４の間には信号導体３が配置されている。信号導体３は接着層４の穴１０に配置されたたとえば導電性ゲル（不図示である）を経て患者の皮膚と接触している。電極１は、被覆層２の一部と信号導体３の一部とによって形成されるタップボトル５と、たとえばリベット接合された二体式  ―  その上部は球上頭部として形成されていてよい  ―  のプッシュボタンの形のタップエレメント１２とを有している。別法として、わにぐちクリップで電線を接続するようにタップボトル５を形成することもできよう。
【００２８】
接着層４の患者皮膚との対向側にプラスタエレメントを配置することも可能である。この場合には、プラスタエレメントはタップボトル５を掩蔽して、信号導体３が患者皮膚と接触するのを防止するように形成されるのが好適である。
【００２９】
図１ｂは電極１の平面図を示しており、同図では、被覆層２とプッシュボタン１２の上部のみが可視である。電極を図１ｃに示したように下側から観察すれば、被覆層２はタップボトル５の領域外で、穴１０を除いて接着層４で掩蔽されていることがわかる。穴１０は、接着層４を貫いて患者皮膚と信号導体３との間の接触をつくり出す導電性ゲル（不図示である）を配置するのに使用される。タップボトル５の領域において上側被覆層２の下側には信号導体３が配置され、リベット接合されたプッシュボタン１２の下部はこの導体を経て患者皮膚と接続している。このように形成された電極１において、信号導体３は保護されることなく外部雑音信号に曝されている。
【００３０】
図２ａ〜２ｃからは、信号導体３がカバー６によって外部雑音信号から保護されている医用電極１が看取される。この場合、カバー６は被覆層２と一体に製造されて、該被覆層によって形成されている。すでに触れたように、このように形成された電極１においてカバー６ないし被覆層２は帯電し、まさに信号導体３と接触することから、患者の皮膚から信号導体３とタップボトル５のタップエレメント１２とを経て導出される信号に影響を及ぼし、そのため、こうして得られる測定結果は信頼性の高いものではない。図１ｃに示した医用電極とは異なり、図２ａに示した医用電極１の下面を示す図２ｃから、タップボトル５は患者の皮膚と対向する側にカバー６を備えていることがわかる。このカバー６は、図示したように、上側被覆層２と一体に形成されていてよいが、ただし独立したカバー６を配置することも可能である。
【００３１】
図３ａ〜３ｃは本発明による医用電極１の第一の実施例を示したものである。この場合、電極１の患者皮膚との対向側の接着層４の下側にはプラスタエレメント１４が配置されており、このエレメントは接着層４の穴１０にほぼ合致する貫通穴を有し、同所に患者皮膚と信号導体３との間の接触をつくり出す導電性ゲル１１が配置されている。タップボトル５の患者皮膚との対向側には、片側が導電性に形成されたカバー６が配置されている。このカバー６は、Ａ−Ａ線に沿った医用電極１の上部の下面を示す図３ｂから判明するように、タップボトル５を全面的に掩蔽している。カバー６の図３ｂに示した可視側は導電性に形成されており、この導電性はたとえば導電性フォームの被着ないし導電層のプリントによって達成される。
【００３２】
図３ｂに示したようなカバー６を形成することにより最適な導電性が達成されはするが、カバー６が信号導体３のタップボトル５内に配置された部分しか掩蔽しないように形成されていても一定の遮蔽効果を達成することが可能である。図３ｃはＡ−Ａ切断線に沿ったプラスタエレメント１４の平面図を示したものであり、貫通穴には導電性ゲル１１が配置されている。
【００３３】
図４ａ〜４ｃに示した実施例において、片側が導電性に形成されているかまたは全体として導電性を有するカバー６は、タップボトル５ではなく、プラスタエレメント１４のタップボトル掩蔽部分上に配置されている。カバーエレメント６をこのように配置する場合には、カバーエレメント６の導電性側がタップボトル５に対向しているように注意しなければならない。カバーエレメント６が信号導体３ないしタップエレメント１２の下部と接触するのを防止するため、タップボトル５のプラスタエレメント１４との対向側にさらに電気絶縁カバーエレメント（不図示である）が設けられていてよい。図３ｂと同様に、図４ｂは切断線Ｂ−Ｂに沿った医用電極１の下面を示しており、同図から、タップボトル５の領域において上側被覆層２の下側に信号導体３が配置されていることが看取される。図４ｃは切断線Ｂ−Ｂに沿ったプラスタエレメント１４の上側面とプラスタエレメント１４のタップボトル掩蔽部分上に配置されたカバーエレメント６とを示している。
【００３４】
図５ａは本発明によるカバーの好適な１実施形態を示したものである。この場合、カバーエレメント６は２層膜として形成され、電気絶縁キャリア層７ならびに導電層８を有している。この導電層８はたとえばグリッド状に形成された導電エレメントによって形成するかまたはプリントによって形成することができる。また、導電性フォーム、金属バンド、金属フィラメントを組込んだ繊維シート等によって導電層８を形成するのも適切である。図５ｂと５ｃとは、図５ａに示したカバー６の、医用電極１への２つの異なった配置方法を示したものである。図５ｂに示した実施例において、カバー６はタップボトル５の患者皮膚との対向側に配置されている。この場合、カバー６は電気絶縁キャリア層７側でタップボトル５と結合されていることから、導電層８は信号導体３から電気的に切離されている。図５ｃに示した実施例では、カバーエレメント６はプラスタエレメント１４と結合されており、しかも導電層８はタップボトル５に対向している。カバー６の導電層８が信号導体３と接触するのを防止するため、タップボトル５のカバー６との対向側に、たとえば上側被覆層と一体に形成された電気絶縁カバーが設けられていてよい。
【００３５】
図６ａ〜６ｃならびに７ａ〜７ｃに示した本発明の実施例において、少なくとも、被覆層２の患者皮膚との反対側１３は導電性に形成されている。
【００３６】
図６ａ〜６ｃに示した実施例において、タップボトル５は患者皮膚との対向側にさらに、上側被覆層２と一体に製造されて該層によって形成されたカバーを有している。これにより一方で、電極は全体としてもしくは三次元的に覆われ、他方で、タップボトル５の患者皮膚との対向側は特に導電層１３で覆われるため、外部雑音信号から信号導体３を防禦することができる。図６ｂは図６ａに示した医用電極１の平面図を示したものであり、同図から、導電層１３はグリッド状に形成されていることがわかる。導電グリッド１３はタップエレメント１２の上部の周囲直近にまで達しているが、ただしそれとは接触していないことから、タップエレメント１２とグリッド１３との間には被覆層２が可視である。切断線Ｃ−Ｃに沿った医用電極１の下面を示す図６ｃから、被覆層２はタップボトル５の領域において導電グリッド１３で覆われており、他方、被覆層２の残りの部分は導電性ゲル１１用の穴を除いて接着層４によって掩蔽されていることがわかる。接続エレメント１６はアースを表しており、導電層１３の接地に使用される。タップボトル５の患者皮膚との対向側には、導電面１３を有した被覆層２に代えて、独立して取り付けられるカバーエレメント６を設けることも考えられることは言うまでもない。
【００３７】
図６ａ〜６ｃに示した実施例において、被覆層は電気絶縁被覆層２と導電層１３とを有した２層膜として形成されているが、これとは異なり図７ａ〜７ｃに示した実施例では上側被覆層は患者皮膚とは反対側の面に、少なくとも片側が導電面をなすカバーエレメント６を有している。カバーエレメント６は２層に形成されているのが好適であり、この場合、カバーエレメント６の配置は導電面が被覆層２とは反対側に配されるようにして行われる。被覆層２はタップボトル５の領域で折り返され、こうして信号導体３を少なくともタップボトル５の領域において外部の影響から遮蔽する。カバー６をタップボトル５の側面に沿っても配置することにより、タップボトル５の下面に配置された通例プラスチック製の被覆層２の帯電をほぼ全面的に回避することができる。さらに、図示した実施例において、プラスタエレメント１４のタップボトル５を掩蔽する部分上には、カバー６の導電面がタップボトル５と対向するようにしてカバー６が配置されている。
【００３８】
切断面Ｄ−Ｄから見た電極１の下面を示す図７ｂから、タップボトル５の患者皮膚との対向側は被覆層２によって掩蔽され、他方、電極１の残りの部分には接着層４が設けられていることがわかる。接着層４の穴１０はまたも、信号導体３と患者皮膚との接続を媒介する導電性ゲル１１の収容に使用される。図７ｃは切断線Ｄ−Ｄに沿ったプラスタエレメント１４の平面図を示しており、同図から、プラスタエレメント１４のタップボトル５を掩蔽する部分にはカバー６が設けられていることが判明するが、この場合、カバーエレメント６の導電面はタップボトル５に対向している。プラスタエレメント１４に設けられた、基本的に接着層４の穴１０に合致する貫通穴には導電性ゲル１１が配置されている。
【００３９】
図８ａ，８ｂはそれぞれタップボトルなしの医用電極１を示したものであり、つまりこの場合には、信号導体３が信号発生主体と好ましくは導電性ゲル１１を経て接触している信号導体領域上方に直にタップエレメント１２が位置している。基本的に電極１のキャリアを形成する被覆層２は患者皮膚とは反対側に導電層１３を有している。被覆層２の患者皮膚との対向側には、患者皮膚に電極１を接着するための接着層４が少なくとも部分的に配置されている。導電層１３は誘導作用を有しており、つまり、導出された信号に影響を及ぼし得る帯電構造は回避されることとなる。図８ｂに示した実施例において、被覆層２の患者皮膚との対向側には、被覆層２と接着層４との間に同じく導電層１７が配置されているため、被覆層２は雑音信号を誘導するための導電層１３，１７によって全面的に、つまり三次元的に包囲されている。
【００４０】
図９ａ，９ｂは導電層１３の接続エレメント１６と雑音信号誘導導体１９との間の差込み接続を実現する２つの異なった方法を示したものである。図９ａにおいて、接続エレメント１６はたとえばプッシュボタン状に形成されている。導体１９はその末端がキャップ状に形成されて、接続エレメント１６に被嵌される。これとは異なり、図９ｂに示した接続エレメント１６は穴を有し、同所に導体１９が挿し込まれる。この場合、接続エレメント１６は弾性を有するように形成されていてよく、これによって導体１９は確実に挟み込んで保持されることとなる。
【００４１】
図１０に示した実施例において、導線１８は同軸ケーブルとして形成されて、導電層１３の接続エレメント１６と信号導体３とに同時に接触することのできる接続エレメント２１を有している。この場合、２本の導体のうち外側の導体１９は信号導体３と接続された導体２０の遮蔽と同時に接続エレメント２１のケーシングを形成するかまたはそれと電気的に接続されている。これにより、導体１９は導電層１３用の接地を表している。信号導体３から測定信号を導出する導体２０は、導体１９ないしケーシング２１から、したがって導電層１３からも電気的に切離されている。
【００４２】
図１１に示した実施例において、雑音信号ならびに測定信号の受け入れは共にクリップ装置２２、たとえば、わにぐちクリップ２２を経て行われる。この場合、クリップパーツ１９は信号導体３の遮蔽を行う導電層１７をつかみ、他方、第一のクリップパーツ１９から電気的に切離されている第二のクリップパーツ２０は直接信号導体３をつかむことで測定信号を伝送する。
【００４３】
以上に図示した一連の実施例に基づいて本発明を詳細に説明したが、本発明は図示実施例に制限されるものでないことは当然である。むしろ、本発明の基本思想、つまり、ファラデースクリーンないしファラデーカップ方式によって本来の信号導体を補助的な導電層によって雑音信号から保護することのできる医用電極の創作の実現に適した、請求項ならびに図面によって説明した実施例の考えられ得るいっさいの組合わせが保護対象として請求される。
【図１ａ】
2011015980.tif 000003
【図１ｂ】
2011015980.tif 000004
【図１ｃ】
2011015980.tif 000005
【図２ａ】
2011015980.tif 000006
【図２ｂ】
2011015980.tif 000007
【図２ｃ】
2011015980.tif 000008
【図３ａ】
2011015980.tif 000009
【図３ｂ】
2011015980.tif 000010
【図３ｃ】
2011015980.tif 000011
【図４ａ】
2011015980.tif 000012
【図４ｂ】
2011015980.tif 000013
【図４ｃ】
2011015980.tif 000014
【図５ａ】
2011015980.tif 000015
【図５ｂ】
2011015980.tif 000016
【図５ｃ】
2011015980.tif 000017
【図６ａ】
2011015980.tif 000018
【図６ｂ】
2011015980.tif 000019
【図６ｃ】
2011015980.tif 000020
【図７ａ】
2011015980.tif 000021
【図７ｂ】
2011015980.tif 000022
【図７ｃ】
2011015980.tif 000023
【図８ａ】
2011015980.tif 000024
【図８ｂ】
2011015980.tif 000025
【図９ａ】
2011015980.tif 000026
【図９ｂ】
2011015980.tif 000027
【図１０】
2011015980.tif 000028
【図１１】
2011015980.tif 000029